(57)【要約】【課題】三つ目ドリル、四つ目ドリル用の研磨の操作を出来得る限り簡単に正確にできる研磨機の構造。【解決手段】ドリルを砥石の円形に対して水平に移動し、一枚の砥石を裏返さず左、右ねじれ共研磨可能となる。上記の構造により木材、プラスチック等の材質に適合する切れ刄の逃げ角度も正確に設定出来且つ、罫引刄と削り刄の振り角の設定もピンをピン孔に差し込む簡単な動作で研磨加工が可能である。【選択図】  図１
2004230542.tif 000002
【特許請求の範囲】
【請求項１】
右ねじれ、又は左ねじれのドリルの研磨に際し、砥石の平面の中心を通る垂線と砥石の外周の接する位置を基準点として二分された右側、又は左側にドリルを水平移動することにより一枚の砥石を裏返さず右、左ねじれのどちらのドリルにも共用出来、且つ所要の切削角度に一致する水平移動の目盛りをスライド溝に沿って複数刻印し、それぞれの位置でドリル垂線刻印を一致させることよつて被切削材質に適したドリルの切削角度を正確に設定することが出来る。
【請求項２】
ドリル先端から砥石端面までの距離は昇降ネジにより設定変更出来るので規格の異なる各種長さのドリルのセットが可能であり研磨しろの設定も容易である。
【請求項３】
オシレーションによるドリルセンターから毛引刄まで、又わ削り刄までの研磨距離の設定はプッシュ円盤を下方に押した儘、砥石とドリルの接点を目視、左右のオシレーシヨ巾設定ねじを調整してロックする。
【請求項４】
三つ目、四つめドリルの毛引刄及び四つ目ドリルの毛引刄と削り刄との相対角と深さを予め設定して振り角設定円盤上に穿孔して、ドリルホルダーのプッシュ円盤に植え込んであるピンを孔に合わせて挿入すれば毛引刄のマイナスも含めて研磨操作が簡単に実施出来る。
【請求項５】
ドリルチヤックキング時にドリルの削り刄を砥石の平面と平行にする為に伸縮する設定ゲージをモーター取付金具の上部に装着し、ゲージを伸ばしてドリルの削り刄をゲージに乗せて整合し、チャックを締め込んでからモータ側に引き込み、研磨工程には入る為の機構。
【発明の詳細な説明】
【０００１】
【発明の属する技術分野】
本発明は金属薄板、木材、プラスチックの穿孔に用いる三つ目、四つめドリルの研磨機の機構と操作に関するものである。
【０００２】
【従来の技術】
従来の三つ目、四つ目ドリルの研磨に際してはドリルのサイズ毎にコレットを用意する必要があり、研磨機価格に付属品価格が追加され、且つ附属品を格納するスペースを要した。又、市販されている諸メーカーのドリル型式の総てに対応することが不可能であり、又右ねじれ、左ねじれ毎に砥石を裏返すか、右ねじれ用、左ねじれ用砥石を各１枚を連動し選択使用する構造を要した。更にドリルの削り刄の切削角の設定もドリルの長短によって変化し、毛引刄のマイナス振り角の設定と毛引刄と削り刄の相対角の設定も熟練を要するので以上の各工程の正確な仕上がりを望むには時間が掛かった。
【０００３】
【発明が解決しようとする課題】
従来の研磨機は操作が難しく、研磨の各工程に時間が掛かるため研磨コストが高くなるので、研磨機の構造を簡単にし、且つ操作性と研磨精度を向上して、熟練者でなくとも操作可能とする事によって研磨コスト及び研磨機製造費の低減を計る事を目的とする。
【０００４】
【課題を解決するための手段】
三つ目ドリル、四つ目ドリルの右ねじれ、左ねじれタイプの研磨を一枚の砥石を裏返さず、ドリルの水平移動により可能とすると共に其の機構により削り刄の切削角の設定も同時に可能となる。其の操作としてはモーターの駆動軸に固定された砥石の平面を軸をセンターとして縦に二分割し、其の垂線を延長して昇降枠に設けられたスライド用溝に交差する位置をゼロ点とし、昇降枠の背面側を右ねじれドリル用、正面側を左ねじれドリル用とし、且つそれぞれの方向に材質に合致する削り刄の切削角の設定位置を刻印し、其の位置とドリルの垂線を一致させると砥石の円周と水平線との間に生ずる角度が削り刄の切削角となる。
【０００５】
上記機構の他に三つ目ドリル四つ目ドリルの毛引刄１８０°の振り角の設定、並びに四つ目ドリルの毛引刄と削り刄の相対角の設定を角度数値目盛りを用いることなく、円筒上面に予め穿孔されたドリル振り角設定盤の孔にプッシュ円盤に植え込まれピンを挿入することで容易に所要の振り角度を得る事が可能である。尚毛引刄のマイナス加工も同時に行う。
【０００６】
【発明実施の形態】
図１の側面図に於いて１の台座上に４の固定枠を組み立て、１１の昇降ハンドルの回転を固定枠の９のねじ軸受けに伝えて３の昇降枠の高さ上下し、ドリル先端と砥石の距離を調整、確定後８の昇降ロッククレバーで固定する。
【０００７】
昇降枠３の上部に設けられた水平溝に３０のスライドブロックの両外側板の凸起部を嵌合し、溝に沿つてスライドブロックを左右に移動することでドリル垂線と３３の砥石センターの間に生ずる距離差で切削角が変化し、且つ砥石センターに向かって右の背面側は右ねじれドリル、向かって左の正面側は左ねじれドリル研磨位置となる、随ってドリル垂線と砥石センターが一致する点をゼロ点とし、左、右に向けてそれぞれ１０°２０°３０°等の所要の角度と▽記号を３の昇降枠の溝の側面に刻字し、それにスライドブロックのセンターの△印を一致させる事で所要の切削角を選択することが出来る。
【０００８】
図４に示すように３０のオシレーションブロックは中央のブロックに内蔵する３３のリニアモーションンベアリングを貫通する３４のオシレーション軸と２０のオシレーションスプリングを介して連結されるスライドブロック両側板で組み立てられている、両側板にねじ込まれている１８のオシレーション巾設定ネジによりドリルの直径に合わせて、毛引刄と削り刄の長さを設定し、１９のオシレーションロックナットで固定する。
【００１０】
三つ目ドリル、四つ目ドリルの毛引刄の１８０°の振り角、四つ目ドリルの毛引刄と削り刄の相対角の設定は２図の１５のドリルホルダーに固定されている１６のプッシュ円盤に植え込まれたピンの位置を示す▽印を１７のドリル振り角設定盤の△印に一致させることで予め１７のドリル振り角設定盤の内径に嵌合固定する１４のドリルホルダー円筒上面に穿孔されている４図３７のピン孔にピンを挿入することが出来る、尚ピン孔は毛引刄と削り刄の区分により挿入深さが異なり、右ねじれ左ねじれドリルによりピン孔の位置も異なる。
【００１１】
１６のプッシュ円盤、は１７のドリル振り角設定盤に装着する１図３６のスプリングプランジャーの突出部により常時数ミリ浮上し、其の間隔を指で圧下することで１１の昇降ハンドルによる昇降巾調整と共に、ドリルを砥石に接触し研磨する。
【００１２】
２図に於いて研磨すべきドリルをドリルチャックに装着するとき砥石の平面とドリルの刄面を平行にすることを要する、２１のドリルチャック設定ゲージの先端にドリルの刄部を乗せて、平行度を合わせてからドリルチヤックを締め込む。
【００１３】
【発明の効果】
本発明は操作が所謂、眼見当、手加減でなく総て前以て設定されたゲージ的構成によつて行うので、正確に、迅速に研磨を完成することが可能である。
【００１４】
各種規格の三つ目、四つ目ドリルの研磨が可能である。
【００１５】
研磨に熟練を要さず、加工費を低く設定する事が可能である。
【図面の簡単な説明】
【図１】ドリル研磨機の右側面図である。
【図２】ドリル研磨機の正面図である。
【図３】ドリル研磨機の背面図である。
【図４】ドリル研磨機の平面図である。
【図５】三つ目ドリル、四つめドリルの形態図である。
【符号の説明】
１  台座
２  ゴム脚
３  昇降枠
４  固定枠
５  正逆スイッチ
６  スライド設定ネジ
７  皿バネ座金
８  昇降ロックレバー
９  昇降ネジ軸受
１０  昇降ネジ軸
１１  昇降ハンドル
１２  スライドブロック背面ストッパー
１３  スライドブロック正面ストッパー
１４  ドリルホルダー軸受け
１５  ドリルホルダー軸
１６  プッシュ円盤
１７  ドリル振り角設定盤
１８  オシレーシヨン巾設定ネジ
１９  オシレーション巾ロックナット
２０  オシレーシヨンスプリング
２１  ドリルチャック設定ゲージ
２２  駆動モーター
２３  モーター取付金具
２４  モーター摺動ステージ
２５  モーター位置調整ボルト
２６  砥石取付座
２７  排水口
２８  昇降スライド溝
２９  削り刄角設定ロックレバー
３０  オシレーションブロック
３１  ドリルチャック
３２  ドリル
３３  砥石
３４  冷却水槽
３５  オシレーシヨン軸
３６  スプリングプランジャー
３７  角度設定ピンあな孔
【図１】
2004230542.tif 000003
【図２】
2004230542.tif 000004
【図３】
2004230542.tif 000005
【図４】
2004230542.tif 000006
【図５】
2004230542.tif 000007